(57)【要約】【課題】サージ防護装置における分離器の状態を適切に検出する。【解決手段】検出装置は、第１の線路と接地との間に直列に設けられた、第１の線路に流れるサージ電流をバイパスさせるためのサージ防護デバイスと導通状態から非導通状態に切り替わる分離器とのうちのサージ防護デバイスに対して並列に設けられた第２の線路に流れる電流を検出する検出部と、検出部の検出結果に基づく信号を出力する出力部と、を備える。【選択図】図１
2015104166.tif 000002
【特許請求の範囲】
【請求項１】
第１の線路と接地との間に直列に設けられた、前記第１の線路に流れるサージ電流をバイパスさせるためのサージ防護デバイスと導通状態から非導通状態に切り替わる分離器とのうちの前記サージ防護デバイスに対して並列に設けられた第２の線路に流れる電流を検出する検出部と、
前記検出部の検出結果に基づく信号を出力する出力部と、
を備えることを特徴とする検出装置。
【請求項２】
前記第２の線路には、前記第２の線路に流れる電流を制限するためのインピーダンス素子が設けられている
ことを特徴とする請求項１に記載の検出装置。
【請求項３】
前記検出部は、
前記第２の線路に流れる電流に応じた物理量を、前記検出結果として前記出力部に供給し、
前記出力部は、
前記検出部から供給された前記物理量を増幅して前記信号として出力する
ことを特徴とする請求項１または２に記載の検出装置。
【請求項４】
前記出力部が出力した前記信号に基づいて点灯状態が切り替わる点灯部、
を備え、
前記出力部は、
前記検出部の検出結果に基づいて、前記分離器が導通状態にある場合と前記分離器が非導通状態にある場合とのそれぞれにおいて、前記点灯部の点灯状態が切り替わるように前記信号を出力する
ことを特徴とする請求項１から３の何れか一項に記載の検出装置。
【請求項５】
前記出力部が出力した前記信号に基づいて、前記分離器が導通状態と非導通状態とのうちのいずれの状態であるかを判定する判定部と、
前記判定部が判定した結果に基づく情報を送信する送信部と、
を備えることを特徴とする請求項１から４の何れか一項に記載の検出装置。
【請求項６】
前記出力部が出力した前記信号に基づいて、前記分離器が導通状態と非導通状態とのうちのいずれの状態であるかを判定する判定部と、
前記判定部により前記分離器が非導通状態であると判定された場合、前記分離器を導通状態に制御する制御部と、
を備えることを特徴とする請求項１から５の何れか一項に記載の検出装置。
【請求項７】
前記制御部は、
前記判定部により前記分離器が非導通状態であると判定された場合、
前記サージ防護デバイスに対して試験電圧を印加することにより前記サージ防護デバイスがサージ電流をバイパス可能な状態であるか否かを判定する試験を行う試験部に対して当該試験を行わせるように制御し、前記試験部により前記サージ防護デバイスがサージ電流をバイパス可能な状態であると判定された場合には、前記分離器を導通状態に制御する
ことを特徴とする請求項６に記載の検出装置。
【請求項８】
請求項１から７の何れか一項に記載の検出装置、
を備えることを特徴とするサージ防護装置。
【請求項９】
検出装置における検出方法であって、
第１の線路と接地との間に直列に設けられた、前記第１の線路に流れるサージ電流をバイパスさせるためのサージ防護デバイスと導通状態から非導通状態に切り替える分離器とのうちの前記サージ防護デバイスに対して並列に設けられた第２の線路に流れる電流を検出し、
前記検出した検出結果に基づく信号を出力する
ことを特徴とする検出方法。
【発明の詳細な説明】
【技術分野】
【０００１】
本発明は、検出装置、サージ防護装置、及び検出方法に関する。
【背景技術】
【０００２】
過電圧から回路を保護するためのサージ防護装置がある（例えば、特許文献１参照）。例えば、サージ防護装置は、サージ電流を接地に対してバイパスさせるためのサージ防護デバイス（ＳＰＤ：Ｓｕｒｇｅ  Ｐｒｏｔｅｃｔｉｏｎ  Ｄｅｖｉｃｅ）を備え、保護対象の回路を過電圧から保護する。
例えば、ＳＰＤを構成する非直線素子は、素子の両端にかかる電圧で抵抗値が変化し、電圧が低い場合は抵抗値が高く絶縁状態を保つが、電圧が高くなると抵抗値が低くなる特性を持っている。そのため、線路と接地との間にＳＰＤを直列に設けておくことで、過電圧が線路にかかった場合にサージ電流を接地に対して流すことができ、保護対象の回路を保護することができる。
【０００３】
ここで、ＳＰＤは、劣化すると正常な電圧でも抵抗値が小さくなり漏れ電流が増大し、最終的には短絡して故障となる場合がある。そのため、ブレーカやヒューズ等のようなＳＰＤを回路から分離するための分離器がＳＰＤに直列に設けられているものがある。例えば、ＳＰＤが故障した場合には、この分離器が導通状態から非導通状態に切り替わることによりＳＰＤを回路から分離し、保護対象の回路を正常に動作させることができる。
【先行技術文献】
【特許文献】
【０００４】
【特許文献１】特開平１０−６４６５８号公報
【発明の概要】
【発明が解決しようとする課題】
【０００５】
しかしながら、分離器によりＳＰＤが回路から分離されている状態では、過電圧から保護対象の回路を保護することができないため、故障したＳＰＤの交換や修理などの作業が早急に行われることが望ましい。そこで、分離器の状態を適切に検出できることが望まれる。なお、特許文献１に示す電流検出装置は、直流送電用の避雷器を流れる漏れ電流を検出する装置であって、分離器を備えた構成ではなく分離器の状態を検出するものではない。
【０００６】
本発明は、このような事情に鑑みてなされたもので、その目的は、サージ防護装置における分離器の状態を適切に検出する検出装置、サージ防護装置、及び検出方法を提供することにある。
【課題を解決するための手段】
【０００７】
この発明は上述した課題を解決するためになされたもので、本発明の一態様は、第１の線路と接地との間に直列に設けられた、前記第１の線路に流れるサージ電流をバイパスさせるためのサージ防護デバイスと導通状態から非導通状態に切り替わる分離器とのうちの前記サージ防護デバイスに対して並列に設けられた第２の線路に流れる電流を検出する検出部と、前記検出部の検出結果に基づく信号を出力する出力部と、を備えることを特徴とする検出装置である。
【０００８】
また、本発明の一態様は、上記検出装置において、前記第２の線路には、前記第２の線路に流れる電流を制限するためのインピーダンス素子が設けられていることを特徴とする。
【０００９】
また、本発明の一態様は、上記検出装置において、前記検出部が、前記第２の線路に流れる電流に応じた物理量を、前記検出結果として前記出力部に供給し、前記出力部が、前記検出部から供給された前記物理量を増幅して前記信号として出力することを特徴とする。
【００１０】
また、本発明の一態様は、上記検出装置が、前記出力部が出力した前記信号に基づいて点灯状態が切り替わる点灯部、を備え、前記出力部が、前記検出部の検出結果に基づいて、前記分離器が導通状態にある場合と前記分離器が非導通状態にある場合とのそれぞれにおいて、前記点灯部の点灯状態が切り替わるように前記信号を出力することを特徴とする。
【００１１】
また、本発明の一態様は、上記検出装置が、前記出力部が出力した前記信号に基づいて、前記分離器が導通状態と非導通状態とのうちのいずれの状態であるかを判定する判定部と、前記判定部が判定した結果に基づく情報を送信する送信部と、を備えることを特徴とする。
【００１２】
また、本発明の一態様は、上記検出装置が、前記出力部が出力した前記信号に基づいて、前記分離器が導通状態と非導通状態とのうちのいずれの状態であるかを判定する判定部と、前記判定部により前記分離器が非導通状態であると判定された場合、前記分離器を導通状態に制御する制御部と、を備えることを特徴とする。
【００１３】
また、本発明の一態様は、上記検出装置において、前記制御部が、前記判定部により前記分離器が非導通状態であると判定された場合、前記サージ防護デバイスに対して試験電圧を印加することにより前記サージ防護デバイスがサージ電流をバイパス可能な状態であるか否かを判定する試験を行う試験部に対して当該試験を行わせるように制御し、前記試験部により前記サージ防護デバイスがサージ電流をバイパス可能な状態であると判定された場合には、前記分離器を導通状態に制御することを特徴とする。
【００１４】
また、本発明の一態様は、上記態様のいずれかの検出装置、を備えることを特徴とするサージ防護装置である。
【００１５】
また、本発明の一態様は、検出装置における検出方法であって、第１の線路と接地との間に直列に設けられた、前記第１の線路に流れるサージ電流をバイパスさせるためのサージ防護デバイスと導通状態から非導通状態に切り替える分離器とのうちの前記サージ防護デバイスに対して並列に設けられた第２の線路に流れる電流を検出し、前記検出した検出結果に基づく信号を出力することを特徴とする検出方法である。
【発明の効果】
【００１６】
この発明によれば、サージ防護装置における分離器の状態を適切に検出することができる。
【図面の簡単な説明】
【００１７】
【図１】第１の実施形態によるサージ防護装置の概略構成の一例を示す構成図である。
【図２】検出部の構成例を説明する説明図である。
【図３】第２の実施形態によるサージ防護装置の概略構成の一例を示す構成図である。
【図４】第３の実施形態によるサージ防護装置の概略構成の一例を示す構成図である。
【図５】第４の実施形態によるサージ防護装置の概略構成の一例を示す構成図である。
【図６】第５の実施形態によるサージ防護装置の概略構成の一例を示す構成図である。
【図７】第６の実施形態によるサージ防護装置の概略構成の一例を示す構成図である。
【図８】第７の実施形態によるサージ防護装置の概略構成の一例を示す構成図である。
【図９】第８の実施形態によるサージ防護装置の概略構成の一例を示す構成図である。
【図１０】第９の実施形態によるサージ防護装置の概略構成の一例を示す構成図である。
【図１１】第９の実施形態による処理の一例を示すフローチャートである。
【図１２】サージ防護装置の概略構成の一例を示す構成図である。
【図１３】２線式の給電方式におけるサージ防護装置の概略構成の一例を示す構成図である。
【発明を実施するための形態】
【００１８】
以下、図面を参照して、本発明の実施の形態について説明する。
＜第１の実施形態＞
まず、サージ防護装置の概要について説明する。サージ防護装置は、サージ電流を接地に対してバイパスさせるためのサージ防護デバイス（ＳＰＤ：Ｓｕｒｇｅ  Ｐｒｏｔｅｃｔｉｏｎ  Ｄｅｖｉｃｅ）を備えている。例えば雷サージなどのような過電圧が線路にかかった場合に、ＳＰＤを介して接地に対してサージ電流をバイパスさせることで、保護対象の回路を過電圧から保護する。
【００１９】
［サージ防護装置の概要を説明する構成例］
図１２は、サージ防護装置２００の概略構成の一例を示す構成図である。サージ防護装置２００は、ＳＰＤ１０と、分離器２０と、バッテリ２３０と、ランプ２４０と、を備えている。この図に示すサージ防護装置２００では、電源線４０１と接地Ｅとの間に、ＳＰＤ１０と分離器２０とが直列に接続されている。ＳＰＤ１０は、非直線素子を備えており、素子の両端にかかる電圧で抵抗値が変化し、電圧が閾値電圧より低い場合は抵抗値が高く絶縁状態を保ち導通しないが、電圧が閾値電圧より高くなると急に抵抗値が低くなる特性を持っている。したがって、電源線４０１に正常な電圧がかかっている場合にはＳＰＤ１０に電流が流れないが、過電圧が電源線４０１にかかるとＳＰＤ１０を介してサージ電流が接地Ｅに対して流れる。これにより、ＳＰＤ１０は、過電圧が電源線４０１にかかった場合に、接地に対してサージ電流をバイパスさせることで保護対象の回路を過電圧から保護することができる。なお、ＳＰＤ１０としては、例えば、ＭＯＶ（Ｍｅｔａｌ  Ｏｘｉｄｅ  Ｖａｒｉｓｔｅｒ）、ＡＢＤ（Ａｖａｌａｎｃｈｅ  Ｂｒｅａｋｄｏｗｎ  Ｄｉｏｄｅ）、ＴＳＳ（Ｔｈｙｒｉｓｔｏｒ  Ｓｕｒｇｅ  Ｓｕｐｐｒｅｓｓｏｒｓ）等が用いられる。
【００２０】
ここで、ＳＰＤ１０は、例えば、サージ電流が繰り返し流れることにより劣化して、正常な電圧がかかっている場合でも抵抗値が小さくなることがある。即ち、ＳＰＤ１０は、劣化することにより、電源線４０１に正常な電圧がかかっている場合でも漏れ電流が増大して最終的には短絡して故障となる場合がある。そのため、ＳＰＤ１０に対して直列に分離器２０が接続されている。分離器２０は、サージ防護機能が有効な通常時は導通状態であるが、例えばＳＰＤ１０の故障時には導通状態から非導通状態に切り替わりＳＰＤ１０を電源線４０１から切り離す。この分離器２０は、例えば、ブレーカやヒューズ等を適用できる。分離器２０の非導通状態とは、例えばブレーカやヒューズ等が過電流により遮断された状態である。
【００２１】
バッテリ２３０とランプ２４０とは、分離器２０の状態を表示するための表示器としての機能を有している。バッテリ２３０は、ランプ２４０を点灯させる電流を供給するための電荷を蓄積しており、バッテリ２３０の一端（例えば、正極端子）がランプ２４０の一端に接続され、ランプ２４０の他端が分離器２０を介してバッテリ２３０の他端（例えば、負極端子）に接続されている。
【００２２】
図１２（Ａ）に示すように分離器２０が導通状態にある場合には、バッテリ２３０の一端からランプ２４０と分離器２０とを介してバッテリ２３０の他端に戻る経路（符号Ｋａの破線で示す経路）でバッテリ２３０から電流が流れるためランプ２４０が点灯している状態（点灯）となる。一方、図１２（Ｂ）に示すように分離器２０が非導通状態にある場合には、上述の電流が流れる経路（図１２（Ａ）の符号Ｋａの破線で示す経路）が途中で遮断されているため、バッテリ２３０からランプ２４０には電流が流れずランプ２４０が消灯している状態（消灯）となる。
【００２３】
このように、図１２に示すサージ防護装置２００では、分離器２０が導通状態にある場合にはランプ２４０が点灯し、分離器２０が非導通状態にある場合にはランプ２４０が消灯する。これにより、サージ防護装置２００では、分離器２０が導通状態にあるか否かをランプ２４０の点灯状態によって知らせることができる。
【００２４】
図１３は、２線式の給電方式におけるサージ防護装置２００ａの概略構成の一例を示す構成図であり、２つのＳＰＤ１０（１０−１、１０−２）の間に、ランプ２４０を設けた構成例を示している。
サージ防護装置２００ａでは、電源線５０１と接地Ｅとの間には分離器２０−１とＳＰＤ１０−１とが直列に接続され、電源線５０２と接地Ｅとの間には分離器２０−２とＳＰＤ１０−２とが直列に接続されている。ランプ２４０の一端は分離器２０−１とＳＰＤ１０−１との接続点ｈ１に接続され、ランプ２４０の他端は分離器２０−２とＳＰＤ１０−２との接続点ｈ２に接続されている。
【００２５】
図１３（Ａ）に示すように分離器２０−１及び分離器２０−２が導通状態にある場合には、電源線５０１から分離器２０−１とランプ２４０と分離器２０−２とを介して電源線５０２への経路（符号Ｋｂの破線で示す経路）で電流が流れるためランプ２４０が点灯している状態（点灯）となる。一方、図１３（Ｂ）に示すように分離器２０−１が非導通状態にある場合には、上述の電流が流れる経路（図１３（Ａ）の符号Ｋｂの破線で示す経路）が途中で遮断されているため、ランプ２４０には電流が流れずランプ２４０が消灯している状態（消灯）となる。なお、分離器２０−１が導通状態であって、分離器２０−２が非導通状態である場合、及び分離器２０−１と分離器２０−２とのいずれもが非導通状態である場合も同様に、ランプ２４０には電流が流れずランプ２４０が消灯している状態（消灯）となる。
【００２６】
このように、図１３に示すサージ防護装置２００ａでは、分離器２０−１及び分離器２０−２が導通状態にある場合にはランプ２４０が点灯し、分離器２０−１と分離器２０−２との一方又は両方が非導通状態にある場合にはランプ２４０が消灯する。これにより、サージ防護装置２００では、分離器２０（分離器２０−１又は分離器２０−２）が導通状態にあるか否かをランプ２４０の点灯状態によって知らせることができる。
【００２７】
しかしながら、図１２に示すサージ防護装置２００では、分離器２０の動作後、即ち分離器２０が非導通状態にある場合に、過電圧が電源線４０１にかかるとバッテリ２３０とランプ２４０とに対してサージ電流が流れることがあるという懸念がある。
また、図１３に示すサージ防護装置２００ａでは、ランプ２４０が消灯したときに、分離器２０−１と分離器２０−２とのいずれが動作した（非導通状態になった）かがわからないという懸念がある。
【００２８】
［第１の実施形態のサージ防護装置の構成］
次に、図１を参照して、本発明の第１の実施形態によるサージ防護装置１の構成を説明する。図１は、本実施形態によるサージ防護装置１の概略構成の一例を示す構成図である。サージ防護装置１は、ＳＰＤ１０と、分離器２０と、検出装置５０と、を備えている。検出装置５０は、検出部６０と、出力部７０と、ランプ３０と、を備えている。
【００２９】
電源線１０１と接地Ｅとの間にＳＰＤ１０と分離器２０とが直列に接続されている。具体的には、分離器２０の一端が電源線１０１に接続され、分離器２０の他端がＳＰＤ１０の一端に接続されている。また、ＳＰＤ１０の他端が接地Ｅに接続されている。なお、電源線１０１には、サージ防護装置１が過電圧から保護する対象となる保護対象の回路（不図示）が接続されており、電源線１０１から保護対象の回路に対して電力が供給される。供給される電力は、例えば、保護対象の回路に応じた交流電力である。なお、保護対象の回路が直流電力を必要とした回路である場合には、供給される電力は、保護対象の回路に応じた直流電力であってもよい。
【００３０】
検出部６０は、分離器２０に直列に接続され、且つＳＰＤ１０に並列に接続されており、このＳＰＤ１０に並列に接続された線路（符号Ｋｃの破線で示す経路）に流れる電流を検出する。具体的には、検出部６０は、この線路に流れる電流を漏れ電流の許容値未満の微小な電流に制限するインピーダンス部を備えるとともに、この経路に流れる電流を検出する電流検出部を備えている。例えば、検出部６０は、このＳＰＤ１０に並列に接続された線路（符号Ｋｃの破線で示す経路）に流れる電流に応じた電圧を検出結果として出力部７０に供給する。なお、検出部６０の構成の詳細は、図２を参照して後述する。
【００３１】
出力部７０は、増幅器７１とバッテリ７２とを備えており、検出部６０の検出結果に基づく信号をランプ３０に対して出力する。例えば、出力部７０は、検出部６０から供給された電圧を増幅してランプ３０に対して出力する。具体的には、増幅器７１の入力端子は、検出部６０の出力端子に接続され、検出部６０から検出結果である電圧が供給される。また、増幅器７１の出力端子がランプ３０に接続されており、増幅器７１は増幅した電圧をランプ３０に対して出力する。
【００３２】
ここで、増幅器７１は、例えば電圧増幅器であり、分離器２０が導通状態にあるときにはＳＰＤ１０に並列に接続された線路（符号Ｋｃの破線で示す経路）に流れる電流に応じた電圧が検出部６０から供給されると、供給された電圧をランプ３０が点灯する電圧まで増幅するように設定されている。したがって、分離器２０が非導通状態にあるときにはＳＰＤ１０に並列に接続された線路（符号Ｋｃの破線で示す経路）に電流が流れないため、増幅器７１の出力はランプ３０が点灯することができない電圧（例えば０Ｖ）となる。つまり、出力部７０は、検出部６０の検出結果に基づいて、分離器２０が導通状態にある場合と分離器２０が非導通状態にある場合とのそれぞれにおいて、ランプ３０の点灯状態が切り替わるようにそれぞれの状態に応じた電圧を出力する。バッテリ７２は、増幅器７１が動作するための電力を増幅器７１に対して供給する。
【００３３】
ランプ３０は、出力部７０が出力した電圧に基づいて点灯状態が切り替わる。
図１（Ａ）に示すように分離器２０が導通状態にある場合には、電源線１０１から分離器２０と検出部６０とを介して接地Ｅへの経路（符号Ｋｄの破線で示す経路）で、電流が流れる。即ち、ＳＰＤ１０に並列に接続された線路（符号Ｋｃの破線で示す経路）に電流が流れる。この場合、出力部７０は、検出部６０が検出した電流に応じた電圧を増幅してランプ３０に対して出力する。これにより、ランプ３０は点灯している状態（点灯）となる。
【００３４】
一方、図１（Ｂ）に示すように分離器２０が非導通状態にある場合には、上述の電流が流れる経路（図１（Ａ）の符号Ｋｄの破線で示す経路）が途中で遮断されているため、ＳＰＤ１０に並列に接続された線路（符号Ｋｃの破線で示す経路）には電流が流れない。この場合、出力部７０がランプ３０に対して出力する電圧は、ランプ３０が点灯する電圧まで達していない。そのため、ランプ３０は消灯している状態（消灯）となる。
【００３５】
このように、図１に示すサージ防護装置１では、分離器２０が導通状態にある場合にはランプ３０が点灯し、分離器２０が非導通状態にある場合にはランプ３０が消灯する。つまり、本実施形態によるサージ防護装置１では、検出装置５０は、分離器２０の状態が導通状態にあるか否かを検出してランプ３０の点灯状態を切り替えることによって知らせることができる。また、本実施形態によれば、分離器２０の動作後、即ち分離器２０が非導通状態にある場合に、過電圧が電源線１０１にかかったとしても、電源線１０１から分離器２０と検出部６０とを介して接地Ｅへの経路（符号Ｋｄの破線で示す経路）が分離器２０で遮断されているため、検出装置５０に対してサージ電流が流れる懸念がない。
【００３６】
なお、検出部６０は、ＳＰＤ１０に並列に接続された線路（符号Ｋｃの破線で示す経路）に流れる電流に応じた電流を検出結果として出力部７０に供給してもよい。この場合、増幅器７１は、電流増幅器としてもよく、分離器２０が導通状態であるときにＳＰＤ１０に並列に接続された線路（符号Ｋｃの破線で示す経路）に流れる電流に応じた電流が検出部６０から供給されると、供給された電流をランプ３０が点灯する電流まで増幅するように設定されている。
【００３７】
［検出部６０の構成］
次に、図２を参照して、検出部６０の構成を詳しく説明する。
図２は、検出部６０の構成例を説明する説明図である。この図に示すように、検出部６０は、直列に接続されたインピーダンス部６１と電流検出部６２とを備えている。なお、インピーダンス部６１と電流検出部６２とは、図２（Ａ）に示すように電流検出部６２、インピーダンス部６１の順に設けられてもよいし、その逆に、図２（Ｂ）に示すようにインピーダンス部６１、電流検出部６２の順に設けられてもよい。図２（Ａ）に示す検出部６０の構成では、ＳＰＤ１０と分離器２０との接続点ｈと、接地Ｅに一端が接続されたインピーダンス部６１の他端との間に電流検出部６２が設けられている。また、図２（Ｂ）に示す検出部６０の構成では、ＳＰＤ１０と分離器２０との接続点ｈに一端が接続されたインピーダンス部６１の他端と、接地Ｅとの間に電流検出部６２が設けられている。
【００３８】
インピーダンス部６１は、ＳＰＤ１０に並列に接続された線路（符号Ｋｃの破線で示す経路）を流れる電流を制限（例えば、１ｍＡ以下に制限）するためのインピーダンスを有している。例えば、インピーダンス部６１は、電流を制限するための高いインピーダンス（例えば、数１００ｋΩ程度）の抵抗を備えている。なお、インピーダンス部６１は、コンデンサを備えた構成としてもよい。
【００３９】
電流検出部６２は、例えば、変成器を有するクランプ式の電流測定器を備えており、ＳＰＤ１０に並列に接続された線路（符号Ｋｃの破線で示す経路）に流れる電流（漏れ電流の許容値未満の微小な電流）を検出し、検出した電流に応じた電圧を検出結果として出力する。なお、電流検出部６２は、検出した電流に応じた電流を検出結果として出力してもよいし、検出した電流を検出結果として出力してもよい。
また、電流検出部６２は、この電流検出部６２が設けられた線路に直列に抵抗（例えば、シャント抵抗）を設けることで、当該線路に流れる電流（漏れ電流の許容値未満の微小な電流）を検出してもよい。例えば、電流検出部６２は、線路に直列に接続された抵抗（例えば、シャント抵抗）において生じる電圧降下により当該線路に流れる電流を検出し、当該電圧降下分に対応する電圧を検出結果として出力してもよい。
【００４０】
以上説明したように本実施形態の検出装置５０は、検出部６０と、出力部７０とを備えている。また、本実施形態では、電源線１０１（第１の線路の一例）と接地Ｅとの間には、電源線１０１に流れるサージ電流をバイパスさせるためのＳＰＤ１０（サージ防護デバイスの一例）と、導通状態から非導通状態に切り替わる分離器２０とが直列に設けられている。検出部６０は、このＳＰＤ１０と分離器２０とのうちのＳＰＤ１０に並列に接続された線路（例えば、符号Ｋｃの破線で示す経路、ＳＰＤ１０に対して並列に設けられた第２の線路の一例）に流れる電流を検出する。出力部７０は、検出部６０の検出結果に基づく電圧（信号の一例）を出力する。
【００４１】
これにより、本実施形態の検出装置５０は、分離器２０の状態が導通状態にあるか否かを検出してランプ３０の点灯状態を切り替えることによって知らせることができる。また、本実施形態によれば、分離器２０が非導通状態にある場合に過電圧が電源線１０１にかかったとしても、電源線１０１から検出装置５０への経路が分離器２０で遮断されているため、検出装置５０に対してサージ電流が流れる懸念がない。したがって、本実施形態によれば、サージ防護装置１における分離器２０の状態を適切に検出することができる。
【００４２】
また、ＳＰＤ１０に並列に接続された線路（例えば、符号Ｋｃの破線で示す経路、第２の線路の一例）には、当該線路に流れる電流を制限するためのインピーダンス部６１（インピーダンス素子の一例）が設けられている。
【００４３】
これにより、検出装置５０は、分離器２０の状態を検出する際に分離器２０を介して電源線１０１から流れる電流を漏れ電流の許容値未満の微小な電流に抑制することができる。また、電源線１０１に過電圧がかかった場合には、このインピーダンス部６１が有する高いインピーダンスに比較して遥かに低いインピーダンスとなるＳＰＤ１０を介してサージ電流が接地Ｅに対して流れるため、検出装置５０にサージ電流が流れることを抑制することができる。
なお、インピーダンス部６１は、図２において検出部６０の内部に備えられている例を説明したが、検出部６０の外部に備えられてもよい。
【００４４】
また、検出部６０は、ＳＰＤ１０に並列に接続された線路（例えば、符号Ｋｃの破線で示す経路、第２の線路の一例）に流れる電流に応じた電圧（物理量の一例）を、検出結果として出力部７０に供給する。そして、出力部７０は、検出部６０から供給された電圧（物理量の一例）を増幅して、増幅した電圧（信号の一例）を出力する。なお、検出部６０が出力部７０に供給する検出結果としての物理量は、電圧に限られるものではなく電流としてもよい。
これにより、検出装置５０は、分離器２０の状態（導通状態にあるか否か）を検出した結果を出力することができる。
【００４５】
例えば、出力部７０は、検出部６０の検出結果に基づいて、分離器２０が導通状態にある場合と分離器２０が非導通状態にある場合とのそれぞれにおいて、ランプ３０（点灯部の一例）の点灯状態が切り替わるように電圧（信号の一例）を出力する。ランプ３０は、出力部７０が出力した電圧に基づいて点灯状態が切り替わる。
これにより、検出装置５０は、分離器２０の状態が導通状態にあるか否かを、ランプ３０の点灯状態を切り替えることによって知らせることができる。
【００４６】
なお、出力部７０は、ランプ３０の点灯状態が切り替わるように電圧を出力する例を説明したが、ランプ３０の点灯状態が切り替わるように制御する制御信号を出力する構成としてもよい。例えば、制御信号は、ランプ３０を点灯させる場合には「１」とし、ランプ３０を消灯させる場合には「０」とするデジタル信号であってもよい。そして、ランプ３０は、この制御信号に応じて点灯と消灯とが切り替わる制御回路を備えた構成としてもよい。
また、ランプ３０は、図１において検出装置５０の内部に備えられている例を示したが、検出装置５０の外部に備えられてもよい。
【００４７】
＜第２の実施形態＞
次に、本発明の第２の実施形態を説明する。
図３は、本実施形態によるサージ防護装置１ａの一例を示す構成図である。図３に示すサージ防護装置１ａは、図１に示すサージ防護装置１に対して、スイッチ５１が設けられている点が異なる。サージ防護装置１ａでは、検出装置５０ａは、検出部６０と、出力部７０とランプ３０とに加えて、スイッチ５１を備えている。なお、この図３において、図１の各部に対応する構成には同一の符号を付けており、その説明を省略する。
【００４８】
スイッチ５１は、ユーザ（例えば、保守作業員、オペレータ等）の操作によって導通状態と非導通状態とが切り替わる切替器である。例えば、スイッチ５１は、ユーザの操作によって開状態と閉状態とが切り替わることにより導通状態と非導通状態とに切り替わる機械式の切替器である。または、スイッチ５１は、ユーザの操作に基づく操作信号によって導通状態と非導通状態とが切り替わる電気式の切替器であってもよい。
【００４９】
スイッチ５１は、ＳＰＤ１０と分離器２０との接続点ｈと検出部６０との間に直列に設けられている。したがって、スイッチ５１が導通状態の場合には、検出装置５０ａは、図１に示す検出装置５０と同様に分離器２０の状態（導通状態にあるか否か）を検出することができる。一方、スイッチ５１が非導通状態の場合には、検出装置５０ａは、分離器２０の状態（導通状態にあるか否か）を検出することができない。
【００５０】
このように、本実施形態によるサージ防護装置１ａでは、ＳＰＤ１０と分離器２０との接続点ｈと検出部６０との間にスイッチ５１を設けた構成とした。これにより、検出装置５０ａは、分離器２０の状態（導通状態にあるか否か）をユーザが知りたいときのみ検出し、それ以外のときは回路から切り離された状態とすることができる。これにより、検出装置５０ａの劣化や故障を抑制することができる。
【００５１】
なお、スイッチ５１は、検出装置５０ａの内部に備えられている構成に限らず、検出装置５０ａの外部に備えられている構成としてもよい。
【００５２】
＜第３の実施形態＞
次に、本発明の第３の実施形態を説明する。
図４は、本実施形態によるサージ防護装置１ｂの一例を示す構成図である。図４に示すサージ防護装置１ｂは、図１に示すサージ防護装置１に対して、ＳＰＤ１０と分離器２０との接続順が異なる。なお、この図４において、図１の各部に対応する構成には同一の符号を付けており、その説明を省略する。
【００５３】
サージ防護装置１ｂでは、ＳＰＤ１０の一端が電源線１０１に接続され、ＳＰＤ１０の他端が分離器２０の一端に接続されている。また、分離器２０の他端が接地Ｅに接続されている。つまり、サージ防護装置１ｂでは、電源線１０１からＳＰＤ１０、分離器２０の順に接地Ｅへ直列に接続されている。
【００５４】
検出部６０は、図１に示すサージ防護装置１と同様に、分離器２０に直列に接続され、且つＳＰＤ１０に並列に接続されており、このＳＰＤ１０に並列に接続された線路（符号Ｋｅの破線で示す経路）に流れる電流を検出する。
【００５５】
これにより、本実施形態によるサージ防護装置１ｂでは、第１の実施形態によるサージ防護装置１と同様に、検出装置５０は、分離器２０が導通状態にあるか否かをランプ３０の点灯状態によって知らせることができる。
【００５６】
＜第４の実施形態＞
次に、本発明の第４の実施形態を説明する。
図５は、本実施形態によるサージ防護装置１ｃの一例を示す構成図である。図５に示すサージ防護装置１ｃは、図１に示すサージ防護装置１を２線式の給電方式に適用した一例である。なお、この図５において、図１の各部に対応する構成には同一の符号を付けており、その説明を省略する。
【００５７】
サージ防護装置１ｃは、ＳＰＤ１０（１０−１、１０−２）と、分離器２０（２０−１、２０−２）と、検出装置５０（５０−１、５０−２）と、を備えている。そして、電源線２０１と電源線２０２とのそれぞれに、ＳＰＤ１０と、分離器２０と、検出装置５０とが、図１に示す構成と同様に構成されている。この図５では、電源線２０１に接続されている各部のそれぞれには、ＳＰＤ１０−１、分離器２０−１、及び検出装置５０−１の符号を付けており、電源線２０２に接続されている各部のそれぞれには、ＳＰＤ１０−２、分離器２０−２、及び検出装置５０−２の符号を付けている。
【００５８】
このように、本実施形態によるサージ防護装置１ｃでは、２線式の給電方式のそれぞれの電源線に対して、図１に示すサージ防護装置１と同様の構成を備えるようにした。これにより、検出装置５０は、２線式の給電方式の場合に、それぞれの電源線に対応する分離器２０が導通状態にあるか否かを、検出装置５０が備えるランプ３０の点灯状態によって知らせることができる。
【００５９】
また、本実施形態によるサージ防護装置１ｃでは、分離器２０−１が動作した（非導通状態になった）場合には、検出装置５０−１が備えるランプ３０が消灯し、分離器２０−２が動作した（非導通状態になった）場合には、検出装置５０−２備えるランプ３０が消灯するので、分離器２０−１と分離器２０−２とのいずれが動作した（非導通状態になった）かがわかる。
【００６０】
また、本実施形態によれば、第１の実施形態と同様に、分離器２０−１又は分離器２０−２の動作後、即ち分離器２０−１又は分離器２０−２が非導通状態にある場合に、過電圧が電源線２０１又は電源線２０２にかかったとしても、電源線２０１又は電源線２０２から検出装置５０−１又は検出装置５０−２への経路が遮断されているため、検出装置５０−１又は検出装置５０−２に対してサージ電流が流れる懸念がない。
【００６１】
＜第５の実施形態＞
次に、本発明の第５の実施形態を説明する。
図６は、本実施形態によるサージ防護装置１ｄの一例を示す構成図である。図６に示すサージ防護装置１ｄは、図５に示す２線式の給電方式の場合のサージ防護装置１ｃにおける検出装置５０−１及び検出装置５０−２を一つの検出装置５０にまとめた構成の一例である。なお、この図６において、図１及び図５の各部に対応する構成には同一の符号を付けており、その説明を省略する。
【００６２】
サージ防護装置１ｄは、スイッチ５５を備え、このスイッチ５５における接続状態を切り替えることにより、分離器２０−１の状態と分離器２０−２の状態とのうちのいずれの状態を検出装置５０が検出するかを切り替える。例えば、スイッチ５５は、ユーザの操作によって接続状態が切り替わる機械式の切替器である。なお、スイッチ５１は、ユーザの操作に基づく操作信号によって接続状態が切り替わる電気式の切替器であってもよい。
【００６３】
具体的には、電源線２０１と接地Ｅとの間に直列に接続されている分離器２０−１とＳＰＤ１０−１との接続点ｈ１が、スイッチ５５の接点ａに接続されている。また、電源線２０２と接地Ｅとの間に直列に接続されている分離器２０−２とＳＰＤ１０−２との接続点ｈ２が、スイッチ５５の接点ｂに接続されている。また、スイッチ５５の接点ｃは、検出装置５０に接続されている。
【００６４】
スイッチ５５において接点ａと接点ｃとが接続されている場合には、検出装置５０は、ＳＰＤ１０−１に並列に接続された線路の電流を検出することにより、分離器２０−１の状態を検出する。一方、スイッチ５５において接点ｂと接点ｃとが接続されている場合には、検出装置５０は、ＳＰＤ１０−２に並列に接続された線路の電流を検出することにより、分離器２０−２の状態を検出する。
【００６５】
このように、本実施形態によるサージ防護装置１ｄでは、２線式の給電方式のそれぞれの電源線に対応する分離器２０の状態を１つの検出装置５０が切り替えて検出するようにした。これにより、検出装置５０は、２線式の給電方式の場合に、それぞれの電源線に対応する分離器２０が導通状態にあるか否かを検出装置５０が備えるランプ３０の点灯状態によって知らせることができる。また、サージ防護装置１ｄは、第４の実施形態によるサージ防護装置１ｃに対して検出装置５０を減らせるため、設置するためのコストを低減することができる。
【００６６】
また、サージ防護装置１ｄは、ランプ３０が消灯した場合に、消灯したときのスイッチ５５の接点の接続状態によって分離器２０−１と分離器２０−２とのいずれが動作した（非導通状態になった）かがわかる。また、本実施形態によれば、第４の実施形態と同様に、分離器２０−１又は分離器２０−２の動作後、即ち分離器２０−１又は分離器２０−２が非導通状態にある場合に、過電圧が電源線２０１又は電源線２０２にかかったとしても、検出装置５０に対してサージ電流が流れる懸念がない。
【００６７】
なお、図６に示す例では、スイッチ５５が、分離器２０−１の状態を検出する接続状態と、分離器２０−２の状態を検出する接続状態とに切り替わる構成を示したが、これに限られるものではない。例えば、スイッチ５５は、分離器２０−１の状態を検出する接続状態と、分離器２０−２の状態を検出する接続状態と、分離器２０−１の状態と分離器２０−２の状態とのいずれも検出しない接続状態とに切り替わる構成としてもよい。この場合、スイッチ５５は、例えば、接点ｃと接続される接点として、接点ａ、ｂの他に、接続点ｈ１及び接続点ｈ２のいずれにも接続されていない接点を備えてもよい。そして、この接点と接点Ｃとが接続されている状態のときには、検出装置５０は、分離器２０−１の状態と分離器２０−２の状態とのいずれも検出しないで、接点ａと接点ｃとが接続されているとき又は接点ｂと接点ｃとが接続されているときに、分離器２０−１の状態又は分離器２０−２の状態を検出するようにしてもよい。なお、この接続点ｈ１及び接続点ｈ２のいずれにも接続されていない接点は、オープン状態であってもよいし、接地Ｅに接続されていてもよい。
このように、スイッチ５５が分離器２０−１の状態と分離器２０−２の状態とのいずれも検出しない接続状態を設けることにより、検出装置５０は、分離器２０（２０−１、２０−２）の状態（導通状態にあるか否か）をユーザが知りたいときのみ必要に応じて検出し、それ以外のときは回路から切り離された状態とすることができる。これにより、検出装置５０の劣化や故障を抑制することができる。
【００６８】
＜第６の実施形態＞
次に、本発明の第６の実施形態を説明する。
図７は、本実施形態によるサージ防護装置１ｅの一例を示す構成図である。図７に示すサージ防護装置１ｅは、図１に示すサージ防護装置１を単相３線式の給電方式に適用した一例である。なお、この図７において、図１の各部に対応する構成には同一の符号を付けており、その説明を省略する。
【００６９】
サージ防護装置１ｅは、ＳＰＤ１０（１０−１、１０−２）と、分離器２０（２０−１、２０−２）と、スイッチング型ＳＰＤ１５と、ＳＰＤ分離器４０と、入力ブレーカ４５と、検出装置５０（５０−１、５０−２）と、を備えている。
ＳＰＤ１０−１及びＳＰＤ１０−２のそれぞれは、非接地の電源線３０１及び電源線３０２のそれぞれと接地Ｅとの間にスイッチング型ＳＰＤ１５（例えば、ガス入り放電管、ＧＤＴ：Ｇａｓ  Ｄｉｓｃｈａｒｇｅ  Ｔｕｂｅｓ）を介して直列に接続されている。また、非接地の電源線３０１と接地された電源線３０３とは、分離器２０−１とＳＰＤ１０−１とＳＰＤ分離器４０を介して接続され、非接地の電源線３０２と接地された電源線３０３とは、分離器２０−２とＳＰＤ１０−２とＳＰＤ分離器４０を介して接続されている。ここで、分離器２０−１及び分離器２０−２は、例えば温度ヒューズであり、ＳＰＤ分離器４０は、例えば配線用遮断器（ブレーカ等）である。また、電源線３０１、電源線３０２、及び電源線３０３には、入力ブレーカ４５が設けられている。検出装置５０−１はＳＰＤ１０−１に並列に接続され、検出装置５０−２はＳＰＤ１０−２に並列に接続されている。
【００７０】
このように、本実施形態によるサージ防護装置１ｅでは、単相３線式の給電方式において、ＳＰＤ１０（１０−１、１０−２）に検出装置５０（５０−１、５０−２）が並列に接続されている。これにより、検出装置５０（５０−１、５０−２）は、単相３線式の給電方式のサージ防護装置１ｅにおいて、分離器２０（２０−１、２０−２）、又はＳＰＤ分離器４０若しくは入力ブレーカ４５のいずれかが非導通状態になったことを、検出装置５０が備えるランプ３０の点灯状態によって知らせることができる。
【００７１】
また、本実施形態によれば、分離器２０（２０−１、２０−２）、又はＳＰＤ分離器４０若しくは入力ブレーカ４５のいずれかが非導通状態にある場合に、過電圧が電源線２０１又は電源線２０２（入力ブレーカ４５の入力側）にかかったとしても、電源線から検出装置５０（５０−１、５０−２）への経路が遮断されているため、検出装置５０（５０−１、５０−２）に対してサージ電流が流れる懸念がない。
【００７２】
＜第７の実施形態＞
次に、本発明の第７の実施形態を説明する。
上記実施形態では、分離器２０の状態をランプ３０の点灯状態により知らせる例を説明したが、本実施形態では、分離器２０の状態を示す情報を送信することにより通知する例を説明する。
【００７３】
図８は、本実施形態によるサージ防護装置１ｆの一例を示す構成図である。図８に示すサージ防護装置１ｆは、図１に示すサージ防護装置１に対して、判定部８０と送信部８１とが備えられている点が異なる。サージ防護装置１ｆでは、検出装置５０ｆは、検出部６０と、出力部７０と、判定部８０と、送信部８１とを備えている。なお、この図８において、図１の各部に対応する構成には同一の符号を付けており、その説明を省略する。
【００７４】
判定部８０は、出力部７０が出力した電圧に基づいて、分離器２０が導通状態と非導通状態とのうちのいずれの状態であるかを判定する。具体的には、出力部７０の増幅器７１の出力端子が判定部８０の入力端子に接続されており、判定部８０には、増幅器７１から出力された電圧が供給される。判定部８０は、増幅器７１から供給された電圧に基づいて、例えば予め設定された閾値電圧と比較することにより、分離器２０が導通状態と非導通状態とのうちのいずれの状態であるかを判定する。ここで、予め設定された閾値電圧は、分離器２０が導通状態の場合に増幅器７１が出力する電圧に基づいて設定された、分離器２０が導通状態であるか否かを判定するための閾値電圧である。そして、判定部８０は、分離器２０が導通状態と非導通状態とのうちのいずれの状態であるかを判定した結果を、送信部８１に供給する。
【００７５】
送信部８１は、判定部８０が判定した結果に基づいて、分離器２０が導通状態と非導通状態とのうちのいずれの状態であるかを示す情報を生成し、生成した情報を有線又は無線による通信により送信する。例えば、送信部８１は、分離器２０が導通状態であると判定された結果を判定部８０から取得した場合、分離器２０が導通状態であることを示す情報を生成して送信する。一方、送信部８１は、分離器２０が非導通状態であると判定された結果を判定部８０から取得した場合、分離器２０が非導通状態であることを示す情報を生成して送信する。なお、送信部８１は、分離器２０が非導通状態と判定された場合のみ、非導通状態であることを示す情報を生成して送信してもよい。ここで、送信部８１が送信する送信先は、例えば、通信により接続されるサーバ装置や端末装置である。
【００７６】
このように、本実施形態によるサージ防護装置１ｆでは、検出装置５０ｆは、判定部８０と、送信部８１とを備えている。判定部８０は、出力部７０が出力した電圧（信号の一例）に基づいて、分離器２０が導通状態と非導通状態とのうちのいずれの状態であるかを判定する。そして、送信部８１は、判定部８０が判定した結果に基づく情報を送信する。つまり、検出装置５０ｆは、分離器２０の状態を示す情報を送信することができるため、目視では確認できないような場所にいるユーザ（例えば、保守作業員、オペレータ等）に対して分離器２０の状態を通知することができる。よって、ユーザは、サージ防護装置１ｆのある場所に赴くことなく、分離器２０が導通状態にあるか否かを知ることができる。
【００７７】
なお、送信部８１は、分離器２０が導通状態であることを示す情報又は分離器２０が非導通状態であることを示す情報に代えて、ＳＰＤ１０が正常であることを示す情報又はＳＰＤ１０が故障していることを示す情報（若しくは、点検が必要なことを示す情報、修理や部品交換が必要な情報、等）を送信してもよい。
【００７８】
また、この図８では、図１に示すランプ３０を図示していないが、検出装置５０ｆは、ランプ３０を備えていない構成としてもよいし、ランプ３０を備えた構成としてもよい。
【００７９】
＜第８の実施形態＞
次に、本発明の第８の実施形態を説明する。
本実施形態では、分離器２０ａが非導通状態であることが検出された場合に、分離器２０ａを導通状態に戻す制御をする例を説明する。
【００８０】
図９は、本実施形態によるサージ防護装置１ｇの一例を示す構成図である。図９に示すサージ防護装置１ｇは、図８に示すサージ防護装置１ｆに対して、送信部８１に代えて制御部８５が備えられている点が異なる。サージ防護装置１ｇでは、検出装置５０ｇは、検出部６０と、出力部７０と、判定部８０と、制御部８５とを備えている。なお、この図９において、図８の各部に対応する構成には同一の符号を付けており、その説明を省略する。
【００８１】
制御部８５は、判定部８０が判定した結果に基づいて、分離器２０ａの状態を制御する。例えば、制御部８５は、判定部８０により分離器２０ａが非導通状態であると判定された場合、分離器２０ａが導通状態に切り替わるように制御する。
【００８２】
ここで、分離器２０ａは、例えばブレーカであって、非導通状態になった場合に外部からの制御信号に応じて導通状態に切り替わる機能を有しているものとする。分離器２０ａは、この外部からの制御信号が入力される入力端子を備えている。また、制御部８５は、分離器２０ａの状態を制御する制御信号を出力する出力端子を備えている。そして、制御部８５の出力端子と分離器２０ａの入力端子とが接続されている。そして、制御部８５は、分離器２０ａが非導通状態であると判定された結果を判定部８０から取得した場合、分離器２０ａを導通状態に切り替えるための制御信号を出力する。
【００８３】
このように、本実施形態によるサージ防護装置１ｇでは、検出装置５０ｇは、第７の実施形態と同様に判定部８０を備えるとともに、さらに制御部８５を備えている。判定部８０は、出力部７０が出力した電圧（信号の一例）に基づいて、分離器２０ａが導通状態と非導通状態とのうちのいずれの状態であるかを判定する。そして、制御部８５は、判定部８０により分離器２０ａが非導通状態であると判定された場合、分離器２０ａを導通状態に切り替えるための制御をする。これにより、本実施形態による検出装置５０ｇは、例えば、ＳＰＤ１０を介して流れる電流が一時的に増大したことにより分離器２０ａが非導通状態になった場合に、ユーザ（例えば、保守作業員、オペレータ等）がサージ防護装置１ｇのある場所に赴くことなく、分離器２０ａを導通状態に戻すことができる。
【００８４】
なお、ＳＰＤ１０が故障に至っている場合には、分離器２０ａを導通状態に戻す制御をしても、分離器２０ａは、一時的に導通状態に戻ることがあったとしてもまた非導通状態に切り替わることになる。そのため、制御部８５は、判定部８０から分離器２０ａが非導通状態であると判定された結果を取得する頻度に基づいて、分離器２０ａを導通状態に戻す制御を停止してもよい。
【００８５】
また、この図９では、図１に示すランプ３０及び図８に示す送信部８１を図示していないが、検出装置５０ｇは、ランプ３０及び送信部８１を備えていない構成としてもよいし、ランプ３０又は送信部８１を備えた構成としてもよい。
【００８６】
＜第９の実施形態＞
次に、本発明の第９の実施形態を説明する。
本実施形態では、分離器２０ａが非導通状態であることが検出された場合に、ＳＰＤ１０が故障しているか否かの試験を行い、試験した結果によりＳＰＤ１０が故障していないと判定されたときには、分離器２０ａを導通状態に戻す制御をする例を説明する。
【００８７】
図１０は、本実施形態によるサージ防護装置１ｈの一例を示す構成図である。図１０に示すサージ防護装置１ｈは、図９に示すサージ防護装置１ｇに対して、試験部９０とスイッチ９１とが備えられている点が異なる。サージ防護装置１ｈでは、検出装置５０ｈは、検出部６０と、出力部７０と、判定部８０と、制御部８５と、試験部９０と、スイッチ９１と、を備えている。
【００８８】
試験部９０は、ＳＰＤ１０の状態を診断する。例えば、試験部９０は、ＳＰＤ１０に対して試験電圧を印加することにより、ＳＰＤ１０がサージ電流をバイパス可能な状態であるか否かを判定する試験を行う。ここで、ＳＰＤ１０がサージ電流をバイパス可能な状態とは、正常な電圧がかかっている場合には高抵抗のため殆ど電流が流れないが、過電圧がかかると抵抗値が小さくなりサージ電流が接地Ｅに対して流れる状態のことである。
【００８９】
例えば、試験部９０は、ＳＰＤ１０に対して所定の試験電圧を印加し、そのときのＳＰＤ１０に対して流れる電流又はＳＰＤ１０の両端にかかる電圧を測定する。そして、試験部９０は、測定した結果に基づいてＳＰＤ１０がサージ電流をバイパス可能な状態であるか否かを判定して、判定結果を示す情報を試験結果として出力する。
【００９０】
スイッチ９１は、検出装置５０ｈが分離器２０ａの状態を検出する場合の接続と、検出装置５０ｈがＳＰＤ１０に対する試験を行う場合の接続と、を切り替えるための切替器である。この図に示すように、電源線１０１と接地Ｅとの間に直列に接続されている分離器２０ａとＳＰＤ１０との接続点ｈは、スイッチ９１の接点ｃに接続されている。そして、スイッチ９１の接点ｃと接点ａとが接続されている状態では、検出部６０がＳＰＤ１０に対して並列に接続されている状態となり、検出装置５０ｈは、分離器２０ａの状態を検出する（以下、「検出モード」とも称する）。即ち、サージ防護装置１ｈが電源線１０１に過電圧かかったときにサージ電流をバイパス可能な正常状態では、スイッチ９１の接点ｃと接点ａとが接続されている。一方、スイッチ９１の接点ｃと接点ｂとが接続されている状態（図１０に示す接続状態）では、試験部９０がＳＰＤ１０に対して並列に接続されている状態となり、検出装置５０ｈは、ＳＰＤ１０に対する試験を行う（以下、「試験モード」とも称する）。
【００９１】
制御部８５は、判定部８０により分離器２０ａが非導通状態であると判定された場合、スイッチ９１と試験部９０とを制御することにより、ＳＰＤ１０の状態を診断する。例えば、判定部８０により分離器２０ａが非導通状態であると判定された場合、制御部８５は、スイッチ９１における接続状態を接点ｃと接点ａとが接続されている状態から接点ｃと接点ｂとが接続されている状態に切り替え、試験部９０に対して上述の試験を行わせるように制御する。試験部９０によりＳＰＤ１０がサージ電流をバイパス可能な状態であると判定された場合には、制御部８５は、分離器２０ａを導通状態に切り替える制御をする。
【００９２】
図１１は、本実施形態による処理の一例を示すフローチャートである。この図１１を参照して、分離器２０ａが非導通状態であると判定された場合に、検出装置５０ｈがＳＰＤ１０の状態に基づいて分離器２０ａを制御する処理の動作を説明する。
【００９３】
判定部８０は、出力部７０が出力した電圧に基づいて（検出部６０が検出した電流に基づいて）、分離器２０ａが導通状態と非導通状態とのうちのいずれの状態であるかを判定する。制御部８５は、判定部８０が判定した結果を取得する。そして、制御部８５は、判定部８０の判定結果に基づいて、分離器２０ａが非導通状態（例えば、開状態）であるか否かを判定する（ステップＳ１０）。分離器２０ａが非導通状態（例えば、開状態）であると判定された場合（ステップＳ１０：Ｙｅｓ）、制御部８５は、スイッチ９１における接続状態を、接点ｃと接点ａとが接続されている状態から接点ｃと接点ｂとが接続される状態に切り替え、試験部９０に対してＳＰＤ１０の状態を判定する試験を行わせる「試験モード」に制御する。一方、分離器２０ａが導通状態（例えば、閉状態）であると判定された場合（ステップＳ１０：Ｎｏ）、制御部８５は、スイッチ９１及び試験部９０に対する制御を行わない。
【００９４】
次に、試験部９０は、制御部８５からの制御に応じて、ＳＰＤ１０の状態を診断する。例えば、試験部９０は、ＳＰＤ１０に対して試験電圧を印加することにより、ＳＰＤ１０がサージ電流をバイパス可能な状態であるか否かを判定する試験を行う。そして、試験部９０は、測定した結果に基づいてＳＰＤ１０がサージ電流をバイパス可能な状態であるか否かを判定して、判定結果を示す情報を試験結果として出力する（ステップＳ２０）。
【００９５】
制御部８５は、試験部９０から供給された試験結果を取得する。そして、制御部８５は、取得した試験結果に基づいて、ＳＰＤ１０がサージ電流をバイパス可能な状態であるか否かを判定する（ステップＳ３０）。ＳＰＤ１０がサージ電流をバイパス可能な状態ではない（ＮＧ）と判定された場合（ステップＳ３０：Ｎｏ）、制御部８５は、ＳＰＤ１０が故障していると判定して、保守（点検、修理、整備などの作業）が必要であることをユーザ（例えば、保守作業員、オペレータ等）に対して通知する。例えば、保守作業員は、サージ防護装置１ｈを点検し、ＳＰＤ１０が故障している場合にはＳＰＤ１０の交換作業を行う。
【００９６】
一方、ＳＰＤ１０がサージ電流をバイパス可能な状態である（ＯＫ）と判定された場合には（ステップＳ３０：Ｙｅｓ）、制御部８５は、スイッチ９１における接続状態を接点ｃと接点ｂとが接続されている状態から接点ｃと接点ａとが接続される状態に切り替えて「検出モード」に制御し、分離器２０ａを非導通状態（例えば、開状態）から導通状態（例えば、閉状態）に切り替える制御をする（ステップＳ４０）。
【００９７】
ステップＳ４０において制御部８５が分離器２０ａを導通状態（例えば、閉状態）に切り替える制御をした後、判定部８０は、出力部７０が出力した電圧に基づいて（検出部６０が検出した電流に基づいて）、分離器２０ａが導通状態と非導通状態とのうちのいずれの状態であるかを判定する。制御部８５は、判定部８０が判定した結果を取得する。そして、制御部８５は、判定部８０の判定結果に基づいて、分離器２０ａが導通状態（例えば、閉状態）になったか否かを判定する。即ち、制御部８５は、分離器２０ａを導通状態（例えば、閉状態）に切り替える制御をしたことにより、実際に分離器２０ａが導通状態（例えば、閉状態）になったか否かを判定する（ステップＳ５０）。
【００９８】
分離器２０ａが導通状態（例えば、閉状態）になったと判定された場合（ステップＳ５０：Ｙｅｓ）、制御部８５は、サージ防護装置１ｈが正常に機能できる状態であると判定して処理を終了する。
【００９９】
一方、分離器２０ａが非導通状態（例えば、開状態）になったと判定された場合（ステップＳ５０：Ｎｏ）、制御部８５は、ＳＰＤ１０又はサージ防護装置１ｈの何れかの部分が故障していると判定して、保守（点検、修理、整備などの作業）が必要であることをユーザ（例えば、保守作業員、オペレータ等）に対して通知する。例えば、保守作業員は、サージ防護装置１ｈを点検して、ＳＰＤ１０が故障している場合にはＳＰＤ１０の交換作業を行い、他に故障している箇所や不良個所がある場合には当該箇所の修理、整備等を行う。
【０１００】
なお、ステップＳ３０又はステップＳ５０において、保守が必要であることをユーザに対して通知する場合、その通知方法は、例えば、図１に示すランプ３０を備えてその点灯状態により通知する方法としてもよいし、図８に示す送信部８１を備えて通信により接続されるサーバ装置や端末装置に通知する方法としてもよい。また、不図示のスピーカやブザー等を備えて音声や警告音を発報することにより通知する方法としてもよい。
【０１０１】
このように、本実施形態によるサージ防護装置１ｈでは、検出装置５０ｈは、第８の実施形態と同様に判定部８０と制御部８５とを備えているとともに、試験部９０を備えている。試験部９０は、ＳＰＤ１０（サージ防護デバイスの一例）に対して試験電圧を印加することによりＳＰＤ１０がサージ電流をバイパス可能な状態であるか否かを判定する試験を行う。例えば、制御部８５は、判定部８０により分離器２０ａが非導通状態であると判定された場合、試験部９０に対して上記の試験を行わせるように制御する。そして、制御部８５は、試験部９０によりＳＰＤ１０がサージ電流をバイパス可能な状態であると判定された場合には、分離器２０ａを導通状態に制御する。
【０１０２】
これにより、本実施形態による検出装置５０ｈは、例えば、分離器２０ａが非導通状態になった場合でも、ＳＰＤ１０の状態を試験してサージ電流をバイパス可能な状態である場合には、ユーザ（例えば、保守作業員、オペレータ等）がサージ防護装置１ｈのある場所に赴くことなく、分離器２０ａを導通状態に戻すことができる。これにより、ユーザは、保守が必要なとき（例えば、ＳＰＤ１０の状態がサージ電流をバイパス可能な状態ではないとき）のみ、サージ防護装置１ｈのある場所に赴いて作業をすることができる。
【０１０３】
なお、図１０において、試験部９０及びスイッチ９１が、検出装置５０ｈの内部に備えられている例を示したが、検出装置５０ｈの外部に備えられていてもよい。例えば、サージ防護装置１ｈは、少なくとも試験部９０を備えた試験装置と、図９に示す検出装置５０ｇと、スイッチ９１とを備えた構成としてもよい。そして、検出装置５０ｇの制御部８５は、分離器２０ａが非導通状態であると判定された場合には、スイッチ９１と試験装置の試験部９０とを制御することにより、試験部９０の試験結果に基づいて分離器２０ａを導通状態に制御してもよい。
【０１０４】
以上、この発明の実施形態について図面を参照して詳述してきたが、具体的な構成は上述の実施形態に限られるものではなく、この発明の要旨を逸脱しない範囲の設計等も含まれる。例えば、上述の第１から９の実施形態において説明した各構成は、任意に組み合わせることができる。
【０１０５】
なお、上記実施形態において、分離器２０が導通状態にある場合にはランプ３０が点灯し、分離器２０が非導通状態にある場合にはランプ３０が消灯する例を説明したが、ランプの点灯状態はこれに限られるものではない。例えば、分離器２０が導通状態にある場合と非導通状態にある場合とでランプ３０の点灯の明るさを変更してもよい。また、分離器２０が導通状態にある場合にはランプ３０が常時点灯している状態とし、分離器２０が非導通状態にある場合にはランプ３０が点滅点灯している状態としてもよい。また、分離器２０が導通状態にある場合と非導通状態にある場合とでランプ３０の点灯色を変更してもよい。
【０１０６】
また、上記実施形態において、出力部７０は、増幅器７１が動作するための電力を増幅器７１に対して供給するバッテリ７２を備えている構成を説明したが、これに限られるものではなく、バッテリ７２に代えて商用電源としてもよい。
【０１０７】
また、上記実施形態では、電源線に対するサージ防護装置１（１ａ、１ｂ、１ｃ、１ｄ、１ｅ、１ｆ、１ｇ、１ｈ）の構成例を説明したが、電源線に限らず通信線等の線路にも同様に適用することができる。
【０１０８】
なお、図９及び図１０における制御部８５は専用のハードウェアにより実現されるものであってもよく、また、メモリおよびＣＰＵ（中央演算装置）により構成され、上述制御部８５の機能を実現するためのプログラムをメモリにロードして実行することによりその機能を実現させるものであってもよい。
【０１０９】
また、上述の制御部８５の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【０１１０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【０１１１】
１、１ａ、１ｂ、１ｃ、１ｄ、１ｅ、１ｆ、１ｇ、１ｈ  サージ防護装置、１０  ＳＰＤ、１５  スイッチング型ＳＰＤ、２０、２０ａ  分離器、３０  ランプ、４０  ＳＰＤ分離器、４５  入力ブレーカ、５０、５０ａ、５０ｆ、５０ｇ、５０ｈ  検出装置、５１、５５  スイッチ、６０  検出部、６１  インピーダンス部、６２  電流検出部、７０  出力部、７１  増幅器、７２  バッテリ、８０判定部、８１  送信部、８５  制御部、９０  試験部、９１  スイッチ、１０１、２０１、２０２、３０１、３０２、３０３  電源線
【図１】
2015104166.tif 000003
【図２】
2015104166.tif 000004
【図３】
2015104166.tif 000005
【図４】
2015104166.tif 000006
【図５】
2015104166.tif 000007
【図６】
2015104166.tif 000008
【図７】
2015104166.tif 000009
【図８】
2015104166.tif 000010
【図９】
2015104166.tif 000011
【図１０】
2015104166.tif 000012
【図１１】
2015104166.tif 000013
【図１２】
2015104166.tif 000014
【図１３】
2015104166.tif 000015